(57)【要約】システムは、フレーム、フレクシャ、及びポストフレクシャを備える複合フレクシャを含む。フレームは軸を有し、フレクシャはフレーム内に配置される。フレクシャはフレームに対して可動であり、フレーム及びフレクシャは一体構造の一部分を形成する。ポストフレクシャは軸に沿って延在し、フレクシャと係合する。システムは、フレクシャへ結合され、フレームに対してフレクシャとともに動くよう構成されるデバイスを更に含む。システムは、フレクシャへ結合され、フレームに対してフレクシャ及びデバイスを動かすよう構成されるアクチュエータを更に含む。
2020530914.tif 000002
【特許請求の範囲】
【請求項１】
軸を有するフレームと、
前記フレーム内に位置し、前記フレームに対して可動であるフレクシャであり、前記フレーム及び前記フレクシャが一体構造の少なくとも一部分を形成する、前記フレクシャと、
前記軸に沿って延在し、前記フレクシャと係合するポストフレクシャと
を有する複合フレクシャを備える装置。
【請求項２】
前記フレームは、アクチュエータの少なくとも一部分を受け入れるよう構成される第１開口部と、デバイスの少なくとも一部分を受け入れるよう構成される第２開口部とを有し、
前記フレクシャは、一方の側で前記アクチュエータと結合され、反対の側で前記デバイスと結合されるよう構成される、
請求項１に記載の装置。
【請求項３】
前記フレームに対する前記フレクシャの動きを制限するよう構成される動作ロックを更に備える、
請求項１に記載の装置。
【請求項４】
前記動作ロックは、
前記フレームに対する前記フレクシャの動きを制限するように前記フレクシャの内側と係合するよう構成されるシャフトと、
前記フレームに対する前記フレクシャの動きを可能にするように前記シャフトを移動させるよう構成されるアクチュエータと
を有する、
請求項３に記載の装置。
【請求項５】
前記複合フレクシャは、前記フレクシャと前記フレームとを結合する翼素を更に有し、
前記翼素は、（ｉ）前記フレームに対する前記軸に沿った前記フレクシャの動きを可能にし、（ｉｉ）前記軸と垂直な他の軸に沿った前記フレクシャの動きを制限するよう構成される、
請求項１に記載の装置。
【請求項６】
各翼素は、より厚い中心部と、より薄い非中心部とを有する、
請求項５に記載の装置。
【請求項７】
前記翼素は、２つ一組で配置され、
各対の前記翼素は、互いに略平行である、
請求項５に記載の装置。
【請求項８】
前記軸に沿った前記ポストフレクシャの剛性は、前記軸に沿った前記複合フレクシャの剛性よりも大きく、
他の軸に沿った前記ポストフレクシャの剛性は、前記他の軸に沿った前記複合フレクシャの剛性よりも小さい、
請求項１に記載の装置。
【請求項９】
前記フレーム、前記フレクシャ、及び前記ポストフレクシャは、前記一体構造の少なくとも一部分を形成する、
請求項１に記載の装置。
【請求項１０】
軸を有するフレームと、前記フレーム内に位置し、前記フレームに対して可動であるフレクシャであり、前記フレーム及び前記フレクシャが一体構造の少なくとも一部分を形成する、前記フレクシャと、前記軸に沿って延在し、前記フレクシャと係合するポストフレクシャとを有する複合フレクシャと、
前記フレクシャへ結合され、前記フレームに対して前記フレクシャとともに動くよう構成されるデバイスと、
前記フレクシャへ結合され、前記フレームに対して前記フレクシャ及び前記デバイスを動かすよう構成されるアクチュエータと
を備えるシステム。
【請求項１１】
前記フレクシャ、前記デバイス、及び前記アクチュエータは、前記軸に沿って同軸である、
請求項１０に記載のシステム。
【請求項１２】
前記フレームは、前記アクチュエータの少なくとも一部分を受け入れるよう構成される第１開口部と、前記デバイスの少なくとも一部分を受け入れるよう構成される第２開口部とを有し、
前記フレクシャは、一方の側で前記アクチュエータと結合され、反対の側で前記デバイスと結合されるよう構成される、
請求項１０に記載のシステム。
【請求項１３】
前記フレームに対する前記フレクシャの動きを制限するよう構成される動作ロックを更に備える、
請求項１０に記載のシステム。
【請求項１４】
前記動作ロックは、
前記フレームに対する前記フレクシャの動きを制限するように前記フレクシャの内側と係合するよう構成されるシャフトと、
前記フレームに対する前記フレクシャの動きを可能にするように前記シャフトを移動させるよう構成されるアクチュエータと
を有する、
請求項１３に記載のシステム。
【請求項１５】
前記複合フレクシャは、前記フレクシャと前記フレームとを結合する翼素を更に有し、
前記翼素は、（ｉ）前記フレームに対する前記軸に沿った前記フレクシャの動きを可能にし、（ｉｉ）前記軸と垂直な他の軸に沿った前記フレクシャの動きを制限するよう構成される、
請求項１０に記載のシステム。
【請求項１６】
前記翼素は、２つ一組で配置され、
各対の前記翼素は、互いに略平行である、
請求項１５に記載のシステム。
【請求項１７】
前記軸に沿った前記ポストフレクシャの剛性は、前記軸に沿った前記複合フレクシャの剛性よりも大きく、
他の軸に沿った前記ポストフレクシャの剛性は、前記他の軸に沿った前記複合フレクシャの剛性よりも小さい、
請求項１０に記載のシステム。
【請求項１８】
フォーカスシステムのフレクシャ及びフレームを有し、前記フレクシャ及び前記フレームが同軸である単一一体構造を得ることと、
前記フォーカスシステムをイメージングシステムと同軸結合し、前記フォーカスシステムが前記イメージングシステムのポジションを調整するよう構成されることと、
前記フォーカスシステムから前記フレクシャ及び前記イメージングシステムへ力を伝えるよう構成される前記フォーカスシステムのポストフレクシャを前記フレクシャに対して配置することと
を有する方法。
【請求項１９】
前記フレームに対する前記フレクシャの動きを制限するように動きロックのシャフトを挿入し、該シャフトが前記フレクシャの内側と係合することと、
前記フレームに対する前記フレクシャの動きを可能にするよう構成されたアクチュエータを前記シャフトへ結合することと
を更に有する、
請求項１８に記載の方法。
【請求項２０】
前記フレームと前記フレクシャとを結合する翼素が、（ｉ）前記フレームに対する前記軸に沿った前記フレクシャの動きを可能にし、（ｉｉ）前記軸と垂直な他の軸に沿った前記フレクシャの動きを制限する、
請求項１８に記載の方法。
【発明の詳細な説明】
【技術分野】
【０００１】
本開示は、概して、デバイスの動き制御に関係がある。特に、本開示は、デバイスの直線運動を提供する装置及び方法に関係がある。
【背景技術】
【０００２】
デバイスの直線運動を提供する様々なメカニズムが知られており、例えば、光学器械の望まない動きを制限しながら光学器械の直線運動を提供するフォーカスメカニズムがある。例えば、いくつかの従来メカニズムは、デバイスの回転運動を低減又は防止しながらデバイスの直線運動を可能にするフレクシャベアリングを使用する。しかし、これらの従来技術には、しばしば、光学アライメントのずれ、所望の運動経路からの好ましくない逸脱の感受性、高度な設計複雑性、及び困難な組み立てプロセスのような多数の欠点がある。衛星用途の場合に、それらの従来技術は、打ち上げ中の高い負荷に対する脆弱性にも悩む。
【発明の概要】
【０００３】
本開示は、デバイスの直線運動を提供する装置及び方法を提供する。
【０００４】
第１実施形態では、装置は、フレーム、フレクシャ（flexure）、及びポストフレクシャを備える複合フレクシャを含む。フレームは軸を有し、フレクシャはフレーム内に配置される。フレクシャはフレームに対して可動であり、フレーム及びフレクシャは一体構造の少なくとも一部分を形成する。ポストフレクシャは軸に沿って延在し、フレクシャと係合する。
【０００５】
第２実施形態では、システムは、フレーム、フレクシャ、及びポストフレクシャを備える複合フレクシャを含む。フレームは軸を有し、フレクシャはフレーム内に配置される。フレクシャはフレームに対して可動であり、フレーム及びフレクシャは一体構造の少なくとも一部分を形成する。ポストフレクシャは軸に沿って延在し、フレクシャと係合する。システムは、フレクシャへ結合され、フレームに対してフレクシャとともに動くよう構成されるデバイスを更に含む。システムは、フレクシャへ結合され、フレームに対してフレクシャ及びデバイスを動かすよう構成されるアクチュエータを更に含む。
【０００６】
第３実施形態では、方法は、複合フレクシャのフレームに対してフレクシャを動かすようにアクチュエータにより複合フレクシャ内でフレクシャのポジションを調整することを含む。方法は、フレクシャへ結合されているデバイスのポジションをフレームに対して調整することを更に含む。フレームは軸を有し、フレクシャはフレーム内に配置される。フレーム及びフレクシャは一体構造の少なくとも一部分を形成する。複合フレクシャのポストフレクシャは軸に沿って延在し、アクチュエータとデバイスとの間でフレクシャと係合する。
【０００７】
他の技術的な特徴は、続く図面、明細書、特許請求の範囲から当業者に容易に明らかになる。
【０００８】
本開示のより完全な理解のために、これより、添付の図面と併せて読まれる以下の説明が参照される。
【図面の簡単な説明】
【０００９】
【図１】本開示に従う光学式フォーカスメカニズムの第１の例を表す。
【図２】本開示に従う光学式フォーカスメカニズムの第１の例を表す。
【図３】本開示に従う光学式フォーカスメカニズムの第２の例を表す。
【図４】本開示に従ってデバイスの直線運動を提供する複合フレクシャの例を表す。
【図５】本開示に従ってデバイスの直線運動を提供する複合フレクシャの例を表す。
【図６】本開示に従ってデバイスの直線運動を提供する複合フレクシャの例を表す。
【図７】本開示に従ってデバイスの直線運動を提供する複合フレクシャの例を表す。
【図８Ａ】本開示に従って複合フレクシャが異なった負荷を受けるシミュレーション例を表す。
【図８Ｂ】本開示に従って複合フレクシャが異なった負荷を受けるシミュレーション例を表す。
【図９Ａ】本開示に従って複合フレクシャが異なった共鳴振動を受けるシミュレーション例を表す。
【図９Ｂ】本開示に従って複合フレクシャが異なった共鳴振動を受けるシミュレーション例を表す。
【発明を実施するための形態】
【００１０】
以下で説明される図１〜図９Ｂと、本明細書中で本開示の原理について記載するために使用される様々な実施形態とは、単に実例であって、決して本開示の範囲を制限するよう解釈されるべきではない。当業者であれば、本開示の原理が、如何なるタイプの適切に配置されたデバイス又はシステムでも実装され得ると理解するだろう。
【００１１】
上記の通り、デバイスの直線運動を提供する様々なメカニズムには、様々な欠点が存在する可能性がある。これらの欠点は多数の要因による。例えば、直線運動を提供する従来メカニズムは、動的な振動環境内で高い負荷を引き起こす低い軸外（off-axis）剛性を有することがあり、そして、高い負荷は、機械的な性能劣化又は損傷を招く可能性がある。更に、複雑なアセンブリは、組み立てるのが難しいことがあり、接合のずれ及びアライメントの変動を起こしやすい。その上、構成要素は、直線的でない動きが起こることを許す場合があり、これは、所望の経路から外れるように光学部品又は他の部品を動かすことを引き起こす可能性がある。
【００１２】
本開示によれば、それらの問題を低減又は排除しながら直線運動を提供するメカニズムが提供される。とりわけ、これらのメカニズムは、少ない部品点数、作動軸沿いの低い剛性、高い軸外剛性、及び極めて直線的な動きを用いる。メカニズムは、性能を改善し、複雑性を下げ、且つ拡張性のあるデバイスを提供する製造容易なひと続きのフレクシャを使用することができる。例えば、メカニズムは、様々な大きさの光学部品及び動作環境に対して容易に拡張縮小でき且つ調整可能である一体的なフレクシャを用いることができる。
【００１３】
図１及び図２は、本開示に従う第１の例の光学式フォーカスメカニズム１０を表す。図１及び図２に示されるように、光学式フォーカスメカニズム１０は複合フレクシャ２１を含む。これ例では、複合フレクシャ２１は、フレーム２３と、フレーム２３内に位置するフレクシャ２５とを含む。フレーム２３は、フレクシャ２５を含み、光学式フォーカスメカニズム１０の他の部品へ結合され得る構造を概して表す。フレクシャ２５は、複合フレクシャ２１内でフレーム２３に対して動くことができる構造を概して表す。
【００１４】
複合フレクシャ２１は、如何なる適切な材料からも形成され得る。例えば、複合フレクシャ２１は、チタン、アルミニウム、スチール、プラスチック、及び複合材料のうちの少なくとも１つから形成されてよい。複合フレクシャ２１はまた、如何なる適切な方法でも形成されてよく、例えば、より大きい材料片を（例えば、ワイヤ放電加工（ＥＤＭ；Electrical  Discharge  Machining）により）機械加工することによって、又は付加製造（additive  manufacturing）によって形成され得る。その上、複合フレクシャ２１及びその構成要素は、如何なる適切なサイズ、形状、及び寸法も有してよい。この特定の例では、フレーム２３は、他の構造体がフレクシャ２５との接続のために通る開口を備えた中空ブロックを表し、フレクシャ２５は、中空中心を有することができる。しかし、それらの構成要素２３、２５の夫々は、フレーム２３及びフレクシャ２５によって少なくとも部分的に形成される単一の一体構造を表す。このようにして実装される場合でさえ、フレクシャ２５は依然として、フレーム２３に対して少なくともいくらか可動である。
【００１５】
デバイス３１が複合フレクシャ２１へ結合される。例えば、デバイス３１の少なくとも部分がフレーム２３の開口を通って、フレクシャ２５の一方の側へ、例えば、ボルト又は他のコネクタを使用することによって結合され得る。フレクシャ２５へ結合される場合に、フレーム２３に対するフレクシャ２５の動きは、フレーム２３に対するデバイス３１の動きを可能にする。デバイス３１は、フレクシャ２５へ結合され、フレーム２３に対して動かされ得る如何なる適切なデバイスも表す。いくつかの実施形態では、デバイス３１は、１以上のレンズ及び１以上のミラーのうちの少なくとも１つを含む器具のような、光学器械を表す。この例では、光学器械はミラーセル２７及びミラー２９を含み、ミラーセル２７がフレクシャ２５へ結合される。特定の実施形態では、ミラーセル２７はチタンから形成されてよく、ミラー２９は炭化ケイ素から形成されてよい。なお、如何なる他の光学又は非光学デバイスもデバイス３１として使用されてよい点に留意されたい。
【００１６】
アクチュエータ３３も複合フレクシャ２１へ結合される。例えば、アクチュエータ３３の少なくとも部分が、デバイス３１の反対側にあるフレーム２３の開口を通って、フレクシャ２５の反対の側へ、例えば、ボルト又は他のコネクタを使用することによって結合され得る。アクチュエータ３３は、一般的に、フレーム２３に対してフレクシャ２５（及びフレクシャ２５へ結合されているデバイス３１）を動かすよう動作する。アクチュエータ３３は、ステッピングモーター、サーボモーター、圧電モーター、ボイスコイル、手動調整されるファインピッチねじ、又は熱膨張形アクチュエータのような、フレクシャ２５を動かすための如何なる適切な構造も含む。いくつかの実施形態では、デバイス３１、アクチュエータ３３、及びフレクシャ２５は、共通の軸３５に沿って同軸である。また、いくつかの実施形態では、フレクシャ２５は、軸３５に関して軸対称であることができる。なお、それらのいずれもが必ずしも必要でない点に留意されたい。
【００１７】
アクチュエータ３３は、フレクシャ２５の内側にあるフレクシャ２５の軸中心でフレクシャ２５に力を加えるよう構成され得る。実施に応じて、光学式フォーカスメカニズム１０は、中心ポスト又はポストフレクシャ３９を更に含んでもよい。ポストフレクシャ３９は軸３５に沿って延在し、フレクシャ２５と係合することができる。いくつかの実施形態では、ポストフレクシャ３９は、部分的に又は完全にフレクシャ２５を通って（且つ部分的又は完全にフレーム２３を通って）延在することができる。いくつかの実施形態では、中心ポスト又はポストフレクシャ３９は、単一の一体構造の部分としてフレーム２３及びフレクシャ２５と一体で形成され得る。これは、中心ポスト又はポストフレクシャ３９がフレクシャ２５の内側から途切れなく延在することを可能にする。実施に応じて、中心ポスト又はポストフレクシャ３９の端部は、フレーム２３内に置かれるか、又はフレーム２３同一平面であるか、あるいは、フレーム２３の外にあることができる。軸外の負荷は、複合フレクシャ２１を曲げるようにアクチュエータから複合フレクシャ２１へ伝えられ得る。たわみは、デバイス３１の所望の運動経路からの好ましくない逸脱を引き起こす可能性がある。中心ポスト又はポストフレクシャ３９は、アクチュエータ３３が複合フレクシャ２１の固定フレーム２３に取り付けられる場合にアクチュエータ３３から複合フレクシャ２１へ伝わる負荷の軸外部分を低減するのを助ける。
【００１８】
以下で更に詳細に記載されるように、複合フレクシャ２１は、フレーム２３とフレクシャ２５との間に延在してそれらを結合する１以上の翼素（blade  elements）を含むことができる。翼素は、軸３５に沿ってフレーム２３とフレクシャ２５との間の追従をもたらし、これは、フレクシャ２５が軸３５に沿ってフレーム２３に対して動くことを可能にする。翼素はまた、軸３５と垂直な軸３６及び３８のような他の軸に沿ってフレーム２３とフレクシャ２５との間の剛性ももたらし、これは、軸外方向でのフレクシャ２５の動きに抵抗するのを助ける。軸３６及び３８に沿った剛性は、デバイス３１の好ましくない動きを防ぐのを助けることができる。
【００１９】
図１及び図２には光学式フォーカスメカニズム１０の第１の例が表されているが、図１及び図２に対して様々な変更が行われてよい。例えば、光学デバイス３１とともに光学式フォーカスメカニズムにおいてここでは使用されているものとして記載されているが、複合フレクシャ２１は如何なる他の適切なシステムでも使用されてよい。また、図１及び図２の構成要素のサイズ、形状、及び相対寸法は、単に実例のためである。
【００２０】
図３は、本開示に従う第２の例の光学式フォーカスメカニズム２０を表す。図３に示されるように、光学式フォーカスメカニズム２０は、フレーム２３及びフレクシャ２５を備える複合フレクシャ２１と、デバイス３１と、アクチュエータ３３とを含む。これらの構成要素は、図１及び図２の光学式フォーカスメカニズム１０に関して上述された構成要素と同じか又は類似し得る。
【００２１】
図３の光学式フォーカスメカニズム２０は動作ロック４１を更に含む。動作ロック４１は、フレクシャ２５がフレーム２３に対して動くことを実質的に阻止することができる構造を表す。フレクシャ２５がフレーム２３に対して動くことを阻止する能力は、様々な用途で必要とされ又は望まれることがある。例えば、光学式フォーカスメカニズム２０が、地球から宇宙に打ち上げられる衛星又は他のデバイスで使用される場合に、光学式フォーカスメカニズム２０の打ち上げは、（動作ロック４１によらなければ）フレクシャ２５を過度に動かして、光学式フォーカスメカニズム２０の複合フレクシャ２１又は他の構成要素に損傷を与える可能性がある。動作ロック４１は、これが起こることを防ぐのを助ける。所望の位置にあると、動作ロック４１は、フレクシャ２５がフレーム２３に対して自由に動くことができるように取り外されるか又はロックを解除され得る。
【００２２】
図３に示される例では、動作ロック４１は、フレーム２３に着脱可能に取り付けられるアクチュエータ４３（例えば、リニアアクチュエータ、サーボモーター、又はパラフィンアクチュエータ）を備える内蔵発射ロックを含む。他のタイプのアクチュエータ４３も使用可能である。シャフト４５はアクチュエータ４３から延在し、シャフト４５は、選択的にフレクシャ２５がフレーム２３に対して動かないようにするようにフレクシャ２５の内側と係合するよう構成される。動きの前及びその間、シャフト４５は、フレクシャ２５がフレーム２３に対して動くことを阻止するロック位置にあることができる。後に、シャフト４５は、通常動作のためにフレーム２３に対するフレクシャ２５の動きを可能にするように、アクチュエータ４３によって軸方向に再配置され得る。シャフト４５上のボールの実施形態は、図示されるように円筒スリーブとのボール・イン・ジョイント（ball-in-joint）において受け入れられ得る。シャフト４５は、ロックを解放するようにアクチュエータ４３によって横に動かされ得る。動作ロック４１の他の実施形態も使用されてよい。
【００２３】
図３には光学式フォーカスメカニズム２０の第１の例が表されているが、図３に対して様々な変更が行われてよい。例えば、光学デバイス３１とともに光学式フォーカスメカニズムにおいてここでは使用されているものとして記載されているが、複合フレクシャ２１は如何なる他の適切なシステムでも使用されてよい。また、図３の構成要素のサイズ、形状、及び相対寸法は、単に実例のためである。更に、他のメカニズムが、フレクシャ２５を所定の位置に係止し、フレーム２３に対するその動きを低減又は阻止するために使用されてよい。
【００２４】
図４〜図７は、本開示に従ってデバイスの直線運動を提供する複合フレクシャ２１を例示する。説明を簡単にするために、図４〜図７に示される複合フレクシャ２１は、図１及び図２の光学式フォーカスメカニズム１０並びに図３の光学式フォーカスメカニズム２０で使用されるものとして記載される。なお、複合フレクシャ２１は、如何なる適切なデバイス又はシステムでも使用されてよい。
【００２５】
図４〜図７に示されるように、ここでフレーム２３は、フレーム２３が他の構成要素へ結合されることを可能にする複数の開口４９を含む。例えば、開口４９は、デバイス３１の少なくとも部分及びアクチュエータ３３の少なくとも部分（いずれも図１〜図３に示されている。）がフレーム２３を通ってフレクシャ２５へ結合されることを可能にすることができる。この例では、開口４９は概して長方形であり、それらの上辺及び底辺に沿って切り欠きを入れられている。なお、如何なる他の適切な形状も使用されてよい。
【００２６】
フレーム２３は、ボルト又は他のコネクタが通ることができる開口を備えた複数の突起５０を更に含む。これは、フレーム２３がより大きいデバイス又は構造に固定されるか又はその中にあることを可能にする。ここでは４つの突起５０が示されており、フレーム２３の一方の側に３つあり、フレーム２３の反対の側に１つある点に留意されたい。しかし、フレーム２３は、如何なる適切な配置でも突起５０をいくつでも含んでよい。また、突起５０自体及び突起５０の開口は、如何なる適切なサイズ、形状、及び寸法も有してよい。
【００２７】
フレクシャ２５も、ボルト又は他のコネクタが通ることができる複数の開口５２を含むことができる。これは、フレクシャ２５が、例えば、後述されるポストフレクシャ３９の実施形態のような他のデバイス又は構造に固定されるか又はその中にあることを可能にする。複数の開口５２がフレクシャ２５において示されているが、フレクシャ２５は、如何なる適切な配置でも開口５２をいくつでも含むことができる。また、開口５２は、如何なる適切なサイズ、形状、及び寸法も有してよい。
【００２８】
上記の通り、複合フレクシャ２１は翼素５１を更に含むことができる。翼素５１はフレクシャ２５とフレーム２３との間に延在し、フレクシャ２５をフレーム２３へ結合する。翼素５１は、フレクシャ２５が軸３５に沿ってフレーム２３に対して動くことを可能にすることによって、フレーム２３に対するフレクシャ２５の追従をもたらす。翼素５１はまた、軸３５と垂直な他の軸（例えば、図１の軸３６及び３８）に沿ってフレーム２３に対するフレクシャ２５の剛性ももたらす。
【００２９】
翼素５１は、如何なる適切な材料からも、如何なる適切な方法でも形成されてよい。いくつかの実施形態では、翼素５１は、単一の一体構造の部分としてフレーム２３及びフレクシャ２５と一体で形成され得る。翼素５１はまた、如何なる適切なサイズ、形状、及び寸法も有してよい。いくつかの実施形態では、夫々の翼素５１は、その長さに沿って可変な厚さを有することができる。例えば、翼素５１の少なくとも１つは、その翼素５１の非中心部分５５よりも厚い中心部分５３を有することができる。当然、夫々の翼素５１は、如何なる他の適切な一様又は非一様な厚さを有してもよい。
【００３０】
いくつかの実施形態では、翼素５１は、互いに略平行であることができる。なお、これは、そうである必要がない点に留意されたい。例えば、フレーム２３がより大きいところの例では、フレクシャ２５をフレーム２３へ結合しながら直交配置された翼素５１が存在してよい。また、いくつかの実施形態では、翼素５１は、翼素５１の対５７で配置され得る。この例では、翼素５１又は翼素５１の対５７は、フレーム２３の長い方の壁に沿って延在するが、この構成は、単に実例のためである。その上、翼素５１又は翼素５１の対５７は、ここでは軸３５に沿って延在する１以上の壁５９によって接続される。この配置では、翼素５１の各対５７は、フレーム２３の内側の部分を少なくとも部分的に囲むか又は外接することができ、フレクシャ２５の一部を少なくとも部分的に囲むか又は外接することができる。
【００３１】
図４〜図７には、デバイスの直線運動を提供する複合フレクシャ２１の一例が表されているが、図４〜図７に対して様々な変更が行われてよい。例えば、図４〜図７の構成要素のサイズ、形状、及び相対寸法は、単に実例のためである。
【００３２】
図８Ａ及び図８Ｂは、本開示に従って複合フレクシャ２１が異なった負荷を受けるシミュレーション例を表す。図８Ａにおいて、複合フレクシャ２１は、ｙ軸周りで回転負荷を受けているように表されている。図８Ｂにおいて、複合フレクシャ２１は、ｘ軸に沿ってラジアル荷重を受けているように表されている。
【００３３】
いずれのタイプの荷重の下でも、ここで開示される複合フレクシャ２１の実施形態は、従来の直線形フレクシャベアリングの剛性よりもはるか大きい剛性を有している。いくつかの実施形態で、複合フレクシャ２１は、従来の直線形フレクシャベアリングのそれより少なくとも、例えば１００倍大きい軸方向剛性を有することができる。複合物のバージョンは、従来の直線形フレクシャベアリングのそれよりも少なくとも、例えば２０倍から４０倍大きい半径方向剛性を有することができる。なお、複合フレクシャ２１の他の実施形態は、軸方向、半径方向、又は回転方向のいずれかでより小さい又はより大きい剛性を有してもよい点に留意されたい。
【００３４】
図９Ａ及び図９Ｂは、本開示に従って複合フレクシャ２１が異なった共鳴振動を受けるシミュレーション例を表す。図９Ａにおいて、複合フレクシャ２１は、１４３Ｈｚの共鳴周波数（モード１）を受けている。図９Ｂにおいて、複合フレクシャ２１は、５８５Ｈｚの共鳴周波数（モード２）を受けている。
【００３５】
いずれの場合にも、フレクシャ２５がアクチュエータ３３によってフレーム２３に対して駆動される場合に、フレクシャ２５は、実質的に傾斜又は軸外運動を経験することがない。いくつかの実施形態で、軸３５（ｚ軸）に沿って１０ミルのストロークを受けたときにフレクシャ２５が経験する可能性がある傾きは、図１の３つの軸３５、３６及び３８のいずれかに関して１μＲａｄ満たない。また、いくつかの実施形態で、ｚ軸に沿って１０ミルのストロークを受けたときにフレクシャ２５が経験する可能性がある平行移動は、ｘ軸及びｙ軸に沿って０．１ミルに満たない。従って、このアプローチは、直線運動を受けているときにデバイスの望ましくない動きを著しく低減するのを助けることができる。
【００３６】
中心ポスト又はポストフレクシャ３９が使用される実施形態では、中心ポスト又はポストフレクシャ３９は、軸上方向では（ｚ軸とも呼ばれる軸３５に沿って）複合フレクシャ２１よりも硬く、全ての軸外方向では複合フレクシャ２１よりも硬くない。特定の実施形態では、中心ポスト又はポストフレクシャ３９は、軸上方向で複合フレクシャ２１よりも３０から１００倍硬く、一方、複合フレクシャ２１は、軸外方向で中心ポスト又はポストフレクシャ３９よりも１千から１０万倍硬い。他の特定の実施形態では、中心ポスト又はポストフレクシャ３９は、軸上方向で複合フレクシャ２１よりも５０から７０倍硬く、一方、複合フレクシャ２１は、軸外方向で中心ポスト又はポストフレクシャ３９よりも５千から９万倍硬い。当然、これらの値は、フレクシャ２５及び中心ポスト又はポストフレクシャ３９の具体的設計に基づき、他の値は、フレクシャ２５及び中心ポスト又はポストフレクシャ３９の設計を変えることによって得られる。
【００３７】
図８Ａ〜図９Ｂには、複合フレクシャ２１に関わる動作のシミュレーション例を表されているが、図８Ａ〜図９Ｂに対して様々な変更が行われてよい。例えば、これらのシミュレーション例は、単に、複合フレクシャ２１の特定の実施形態が如何にして作動する可能性があるかを実証するために与えられている。複合フレクシャ２１の他の実施形態は、如何なる他の適切な方法でも作動することができる。
【００３８】
本特許文献にわたって使用される特定の語及び語句の定義を示すことが有理であり得る。語「含む」（include）及び「有する」（comprise）並びにそれらの派生語は、「制限なしの包含」（inclusion  without  limitation）を意味する。語「又は」（or）は包括的であって、「及び／又は」（and/or）を意味する。語句「〜と関連する」（associated  with）及びその派生語は、「〜を含む」（include）、「〜に含まれる」（be  included  within）、「〜と相互接続する」（interconnect  with）、「〜を含む」（contain）、「〜に含まれる」（be  contained  within）、「〜へ／と接続する」（connect  to/with）、「〜へ／と結合する」（couple  to/with）、「〜と連通可能である」（be  communicable  with）、「〜と協働する」（cooperate  with）、「〜をインターリーブする」（interleave）、「〜を並べる」（juxtapose）、「〜に近い」（be  proximate  to）、「〜へ／と結び付けられる」（be  bound  to/with）、「〜を有している」（have）、「〜の特性を備える」（have  a  property  of）、「〜に／と関係がある」（have  relationship  to/with）、などを意味し得る。語句「〜のうちの少なくとも１つ」は、項目のリストともに使用されるときに、リストアップされている項目のうちの１以上の種々の組み合わせが使用される可能性があり、且つ、リスト内のただ１つの項目が必要とされる可能性があることを意味する。例えば、「Ａ、Ｂ及びＣのうちの少なくとも１つ」は、次の組み合わせ：Ａ、Ｂ、Ｃ、ＡとＢ、ＡとＣ、ＢとＣ、及びＡとＢとＣのいずれかを含む。
【００３９】
本願の記載は、如何なる特定の要素、ステップ、又は機能も請求の範囲に含まれなければならない必須の又は重要な要素であることを暗示するものとして呼ばれるべきではない。特許される対象の範囲は、許可される請求項によってのみ定義される。更に、どの請求項も、機能を特定する特定の語句の後で「〜する手段」（means  for）又は「〜するステップ」（step  for）との厳密な語が特定の請求項で明示的に使用されない限り、添付の特許請求の範囲及び請求項要素のいずれかに関しても３５  Ｕ．Ｓ．Ｃ  第１１２（ｆ）条を行使する。請求項内での、例えば（しかし制限なしに）、「メカニズム」、「モジュール」、「デバイス」、「ユニット」、「コンポーネント」、「要素」、「部材」、「装置」、「マシン」、「システム」、「プロセッサ」、又は「コントローラ」のような語の使用は、特許請求の範囲自体の特徴によって更に変更又は拡張されるように、当業者に知られている構造を指すものと理解及び解釈され、３５  Ｕ．Ｓ．Ｃ  第１１２（ｆ）条を行使することは意図されない。
【００４０】
本開示は、特定の実施形態及び一般に関連する方法について記載してきたが、これらの実施形態及び方法の変更及び置換は、当業者に明らかである。然るに、例となる実施形態の上記の説明は、本開示を定義又は制約しない。他の変形、置換及び変更も、続く特許請求の範囲によって定義されるように、本開示の趣旨及び適用範囲から逸脱することなしに可能である。
【図１】
2020530914.tif 000003
【図２】
2020530914.tif 000004
【図３】
2020530914.tif 000005
【図４】
2020530914.tif 000006
【図５】
2020530914.tif 000007
【図６】
2020530914.tif 000008
【図７】
2020530914.tif 000009
【図８Ａ】
2020530914.tif 000010
【図８Ｂ】
2020530914.tif 000011
【図９Ａ】
2020530914.tif 000012
【図９Ｂ】
2020530914.tif 000013
【国際調査報告】
2020530914.tif 000014
2020530914.tif 000015
2020530914.tif 000016